(57)【要約】【課題】  従来から使用されてきた指圧スリッパは、指圧可能な指圧具が内底の一面のみに形成されており、種々の指圧具を選択的に使用できない問題点と、種々の指圧具を使用するためには個々の指圧スリッパを購入しければならないという問題が存在していた。【解決手段】  指圧突起１を設けた経穴指圧具２と指圧針３を設けた半円指圧具４を片面ずつに形成した内底５と、指圧突起１’並びに結合具６と結合具通孔７を設けた足甲蓋８，８’とにより構成し、また内底５’の片面には指圧針３を設けた半円指圧具４を形成し、他面には半円型突部１０を形成して、半円指圧具４と半円型突部１０を選択的に使用できるようにし、あるいは内底５”の片面には指圧突起１を設けた経穴指圧具２を形成し、他面には半円型突部１０を形成して、経穴指圧具４と半円型突部１０を選択的に使用できるようにした。【選択図】      図１
0003103838.tif 000002
【実用新案登録請求の範囲】
【請求項１】
指圧突起１を設けた経穴指圧具２と指圧針３を設けた半円指圧具４を片面ずつに形成した内底５と、指圧突起１’と結合具６と結合具通孔７を設けた足甲蓋８，８’とにより構成したことを特徴とする指圧スリッパ。
【請求項２】
内底５’の片面には指圧針３を設けた半円指圧具４を形成し、他面には半円型突部１０を形成して、半円指圧具４と半円型突部１０を選択的に使用できるようにした請求項１記載の指圧スリッパ。
【請求項３】
内底５”の片面には指圧突起１を設けた経穴指圧具２を形成し、他面には半円型突部１０を形成して、経穴指圧具４と半円型突部１０を選択的に使用できるようにした請求項１記載の指圧スリッパ。
【請求項４】
内底５”’の片面のみに指圧突起１を設けた経穴指圧具２を形成した請求項１記載の指圧スリッパ。
【請求項５】
内底５””の片面のみに指圧針３を設けた半円指圧具２を形成した請求項１記載の指圧スリッパ。
【請求項６】
内底５””’の片面のみに半円型突部１０を形成した請求項２記載のスリッパ。
【考案の詳細な説明】
【技術分野】
【０００１】
この考案は指圧スリッパに関するもので、詳しくは指圧することのできる指圧具を内底両側に形成し、スリッパを上下裏返して履用することができるように指圧具を選択的に使用できるようにしたものである。
【背景技術】
【０００２】
従来から使用されてきた指圧スリッパは足裏に刺激を加え、人の新陳代謝が促進されるように多数の突起を設けた指圧具を形成し、足裏に指圧を加えることを目的に使用されていた。
【０００３】
しかし、上記スリッパは指圧可能な指圧具が内底の一面のみに形成されており、種々の指圧具を選択的に使用できない問題点と種々の指圧具を使用するためには個々の指圧スリッパを購入しければならないという問題が存在していたのである。
【考案の開示】
【考案が解決しようとする課題】
【０００４】
解決しようとする課題は、内底の構成を指圧突起が形成された経穴指圧具と指圧針が取り付けられた半円指圧具及び半円形突部とをそれぞれ形成し、使用者が選択的に指圧具を使用し、足裏を指圧するスリッパに使用できるようにした。
【課題を解決するための手段】
【０００５】
そこでこの考案に係る指圧スリッパ（請求項１）は前記の課題を解決するために、指圧突起１を設けた経穴指圧具２と指圧針３を設けた半円指圧具４を片面ずつに形成した内底５と、指圧突起１’と結合具６と結合具通孔７を設けた足甲蓋８，８’とにより構成したものである。
【０００６】
またこの考案に係る指圧スリッパ（請求項２）は前記の課題を解決するために、内底５’の片面には指圧針３を設けた半円指圧具４を形成し、他面には半円型突部１０を形成して、半円指圧具４と半円型突部１０を選択的に使用できるようにしたものである。
【０００７】
さらにこの考案に係る指圧スリッパ（請求項３）は前記の課題を解決するために、内底５”の片面には指圧突起１を設けた経穴指圧具２を形成し、他面には半円型突部１０を形成して、経穴指圧具４と半円型突部１０を選択的に使用することができるようにしたものである。
【０００８】
またこの考案に係る指圧スリッパ（請求項４）は前記の課題を解決するために、内底５”’の片面のみに指圧突起１を設けた経穴指圧具２を形成したものである。
【０００９】
またこの考案に係る指圧スリッパ（請求項５）は前記の課題を解決するために、内底５””の片面のみに指圧針３を設けた半円指圧具２を形成したものである。
【００１０】
さらにこの考案に係る指圧スリッパ（請求項６）は前記の課題を解決するために、内底５””の片面のみに指圧針３を設けた半円指圧具２を形成したものである。
【考案の効果】
【００１１】
前記のようにこの考案によれば、指圧突起１を設けた経穴指圧具２と指圧針３を設けた半円指圧具４を片面ずつに形成した内底５と、指圧突起１’と結合具６と結合具通孔７を設けた足甲蓋８，８’とにより構成したので、使用者が選択的に経穴指圧具と半円指圧具及び半円型突部を使用する効果と、経穴指圧具と半円指圧具と半円指圧具及び半円突起部を使用しない場合には単に通常のスリッパとして使用することができる効果を有するのである。
【考案を実施するための最良の形態】
【００１２】
本考案は、片面には指圧突起１を設けた経穴指圧具２を形成し、他面には指圧針３を設けた半円指圧具４を形成した内底５と、指圧突起１’と結合具６を設けた足甲蓋８と、指圧突起１’と結合具通孔７を設けた足甲蓋８’とにより構成する。
【実施例】
【００１３】
次にこの考案に係る指圧スリッパの一実施例を述べると、１は指圧突起であり、２は経穴指圧具ある。４は指圧針３を設けた半円指圧具あり、５は内底である。そしてこれら指圧突起１が形成された経穴指圧具２と指圧針３を設けた半円指圧具４とが両側に形成された内底５と、指圧突起１’と結合具６と結合具通孔７を設けた足甲蓋８，８’とで形成されたのである。
【００１４】
このように内底５の両面にその構成を異にして、指圧突起１が形成された経穴指圧具２と指圧針３を設けた半円指圧具４が形成された指圧スリッパ９の使用は以下の通りである。
【００１５】
使用者が足に指圧を加えようとする指圧具２，４中で択一して使用するので、図１に示すように指圧突起１が形成された経穴指圧具２を利用して足（図示せず）に指圧を加える場合には、選択された経穴指圧具２が足裏と接することができるように上面向けに位置した状態から、指圧スリッパ９に形成された足甲蓋８，８’が選択された経穴指圧具２の上側向けに形成されるように、結合具６と結合具通孔７を利用して組み立てた状態から指圧スリッパ９を着用できるようにしたのである。
【００１６】
上記のように分離されている足甲蓋８，８’を図２に示すように組み立てられた指圧スリッパ９を人が着用すると、足裏面を指圧スリッパ９の内底５に形成された経穴指圧具２の指圧突起１が合わさり人の足に指圧を加えるのであり、足甲蓋８，８’に形成された指圧突起１’もやはり人の足甲部を指圧しながら、指圧突起１’により足甲蓋８，８’と足が密着しないので、足甲蓋８，８’と足が密着してべたつくのを防止できるようにしたのである。
【００１７】
図３に示すように、内底５の他面（外底）に形成された指圧針３を設けた半円指圧具４を使用するためには、指圧スリッパ９を脱いだ状態で結合具６と結合具通孔７に分離し、指圧スリッパ９を裏返して内底５の他面（外底）が足裏と接するように位置した状態で、上記の方法と同じく使用することができるのである。
【００１８】
したがってこの考案は指圧突起１が形成された経穴指圧具２を通じた足裏指圧とともに、指圧針３が形成された半円指圧具４を選択的に使用し、足裏に指圧を加えることができる。
【００１９】
本考案の他の実施例では図４乃至図６に示したように、内底５’の片面には指圧針３を設けた半円指圧具４を形成し、他面には半円型突起部１０を形成したものであるので、半円指圧具４と半円型突起部１０とを選択的に使用できるのである。
【００２０】
本考案の他の実施例では図７乃至図９に示したように、内底５”の片面には指圧突起を設けた経穴指圧具２を形成し、他面には半円型突起部１０を形成したものであるので、経穴指圧具２と半円型突起部１０とを選択的に使用できるようにしたものである。
【００２１】
さらに本考案の他の実施例を示す図半円型突起部１０のように、内底５’”片面のみに指圧突起１を設けた経穴指圧具２を形成して使用できるようにして、他面には通常のスリッパの外底で形成された。
【００２２】
またこの考案の他の実施例では図１１のように、内底５の片面のみに指圧針３を設けた半円指圧具４を形成できるようにして、他面には通常スリッパの外底を形成した。
【００２３】
さらに本考案の他の実施例を示す図１２ように、内底５””片面のみに半円型突起部１０を形成して使用できるようにして、他面には通常のスリッパの外底で形成した。
【００２４】
図１０乃至図１２に示したように他の実施例は使用者の指圧機能を必要としない場合には、経穴指圧具２と半円指圧具４及び半円型突起部１０が形成されていない通常のスリッパの外底が上面に位置するように結合具６と結合具通孔７を利用して、組み立て使用できるようにしたので、経穴指圧具２と半円指圧具４及び半円型突起部１０とを使用しないでスリッパを使用できるようにしたのである。
【産業上の利用可能性】
【００２５】
各種の指圧機能を有するスリッパとすることができ、また片面は指圧機能を有さない通常のスリッパとして使用することもできる。さらに室内履き用のスリッパに限らず外履き用のサンダル等としても利用可能である。
【図面の簡単な説明】
【００２６】
【図１】本考案の展開斜視図である。
【図２】本考案の斜視図である。
【図３】本考案の底面図である。
【図４】本考案の他例を示す図である。
【図５】図４の組立状態を示す図である。
【図６】図５の底面図である。
【図７】本考案の他例を示す図である。
【図８】図７の組立状態を示す斜視図である。
【図９】図７の底面図である。
【図１０】本考案の他例を示す図である。
【図１１】本考案の他例を示す図である。
【図１２】本考案の他例を示す図である。
【符号の説明】
【００２７】
１  指圧突起
２  経穴指圧具
３  指圧針
４  半円指圧具
５，５’，５”，５”’，５””，５””’  内底
６  結合具
７  結合具通孔
８，８’足甲蓋
９  指圧スリッパ
１０  半円型突部
【図１】
0003103838.tif 000003
【図２】
0003103838.tif 000004
【図３】
0003103838.tif 000005
【図４】
0003103838.tif 000006
【図５】
0003103838.tif 000007
【図６】
0003103838.tif 000008
【図７】
0003103838.tif 000009
【図８】
0003103838.tif 000010
【図９】
0003103838.tif 000011
【図１０】
0003103838.tif 000012
【図１１】
0003103838.tif 000013
【図１２】
0003103838.tif 000014